(57)【要約】【課題】  地図情報の補正が依頼されたときに、地図情報を補正するサービスを行うとともに、補正の内容に応じた課金を行うこと。【解決手段】  利用者１０のサービス依頼管理装置２０から、地図の測地系・座標系が異なることにともなう地図補正の依頼に関するサービス依頼データと地図情報がインターネット１２を介して送信されたことに、このデータをサービス提供事業者１１のデータ送受信装置２２が受信したときには、データ補正装置２４によりサービス依頼データの内容に応じて地図情報が補正され、課金装置２３によりサービス依頼データの内容に応じた課金データが生成され、補正された地図情報と生成された課金データがデータ送受信装置２２からインターネット１２を介して利用者１０のサービス依頼管理装置２０に送信される。【選択図】        図１
2005077619.tif 000002
【特許請求の範囲】
【請求項１】
サービス依頼元からの地図情報とサービス依頼情報を通信ネットワークを介して受信する情報受信手段と、前記情報受信手段が前記地図情報と前記サービス依頼情報を受信したときに、前記サービス依頼情報の内容に応じて前記地図情報を補正する地図情報補正手段と、前記情報受信手段の受信によるサービス依頼情報の内容に応じた課金情報を生成する課金情報生成手段と、前記地図情報補正手段により補正された地図情報と前記課金情報生成手段の生成による課金情報をそれぞれ前記通信ネットワークを介して前記サービス依頼元の指定による情報受信端末に送信する情報送信手段とを備えてなる情報配信システム。
【請求項２】
請求項１に記載の情報配信システムにおいて、前記サービス依頼情報は、前記地図情報が測量による地図で構成されているときに、前記地図の測地系・座標系が異なることに伴う地図補正の依頼または前記地図に図形歪を内包することに伴う地図補正の依頼を含むことを特徴とする情報配信システム。
【請求項３】
請求項１に記載の情報配信システムにおいて、前記サービス依頼情報は、前記地図情報が測量による複数の地図であって前記各地図が互いに重なり合う領域を有するもので構成されているときに、前記地図毎の測地系・座標系が異なることに伴う地図補正の依頼または前記地図毎に図形歪を内包することに伴う地図補正の依頼を含むことを特徴とする情報配信システム。
【請求項４】
請求項１に記載の情報配信システムにおいて、前記サービス依頼情報は、前記地図情報が測量による地図、航空写真による地図または衛星画像による地図で構成されているときに、前記いずれかの地図の測地系・座標系が異なることに伴う地図補正の依頼または前記いずれかの地図に図形歪を内包することに伴う地図補正の依頼を含むことを特徴とする情報配信システム。
【請求項５】
請求項１に記載の情報配信システムにおいて、前記サービス依頼情報は、前記地図情報が測量による地図と航空写真による地図および衛星画像による地図で構成され、かつ前記各地図が互いに重なり合う領域を有するもので構成されているときに、前記地図毎の測地系・座標系が異なることに伴う地図補正の依頼または前記地図毎に図形歪を内包することに伴う地図補正の依頼を含むことを特徴とする情報配信システム。
【請求項６】
請求項５に記載の情報配信システムにおいて、前記サービス依頼情報は、前記地図間の位置座標を一致化させるとともに、前記各地図を重畳表示するための地図補正の依頼を含み、前記課金情報生成手段は、前記重畳表示を含むサービス依頼情報に従って課金情報を生成し、前記地図情報補正手段は、前記地図間の位置座標を一致化させるとともに、前記各地図を重畳表示するための情報に従って前記地図情報を補正してなることを特徴とする情報配信システム。
【請求項７】
請求項１、２、３、４、５または６のうちいずれか１項に記載の情報配信システムにおいて、前記地図情報補正手段は、前記地図情報を補正するときに、地図上の位置座標に属性として、ファイル、ＵＲＬ、静止画または動画を読み出すための関連づけを実行してなることを特徴とする情報配信システム。
【請求項８】
請求項３または５に記載の情報配信システムにおいて、前記地図情報補正手段は、前記地図情報を補正するときに、前記各地図に、各地図相互に対応した位置座標を埋め込んでなることを特徴とする情報配信システム。
【請求項９】
請求項１から８のうちいずれか１項に記載の情報配信システムにおいて、前記地図情報補正手段は、前記地図情報を補正するときに、前記地図情報に電子透かしに関する情報を埋め込んでなることを特徴とする情報配信システム。
【請求項１０】
請求項１から９のうちいずれか１項に記載の情報配信システムにおいて、前記地図情報は、ナビゲーションシステム上の地図に関連づけて構成されてなることを特徴とする情報配信システム。
【請求項１１】
サービス依頼元からの地図情報とサービス依頼情報を通信ネットワークを介して受信したときに、前記サービス依頼情報の内容に応じて前記地図情報を補正するとともに課金情報を生成し、前記補正された地図情報と前記生成された課金情報をそれぞれ前記通信ネットワークを介して前記サービス依頼元の指定による情報受信端末に送信する情報配信方法。
【発明の詳細な説明】
【技術分野】
【０００１】
本発明は、情報配信システムに係り、特に、地図情報を通信ネットワークを介して配信する情報配信システムに関する。
【背景技術】
【０００２】
従来、地図情報を配信するに際しては、情報配信元に事前に料金を支払った利用者に対して、利用者の指示あるいは操作に応じた地図情報を情報配信元からインターネットなど一般公衆回線を経由して配信することが行われている。
【発明の開示】
【発明が解決しようとする課題】
【０００３】
従来の地図情報配信システムにおいては、地図情報を利用者に配信するときに、位置座標を補正するサービスは行っていたが、測地系・座標系が異なることに伴う地図補正や各地図に図形歪を内包することに伴う地図補正のサービスについては配慮されていなかった。
【０００４】
すなわち、測地成果２０００として、地図に用いる測地系が日本測地系（東京の位置を基点に地球を回転楕円体に近似させたもの）から世界測地系（地球の実際の重心位置を回転楕円体の中心位置に合わせたもの）に移行（２０００年４月１日測量法改訂）したことに伴って、日本測地系による地図と世界測地系による地図との間には誤差が生じ、この誤差を補正する必要がある。また地図などに用いる座標系には、地図の座標を地球の中心位置を基準に表記した絶対座標系を用いたものと、全国に複数のオフセット位置を定め、各オフセット位置を基準にそこからの相対距離によって座標を表記するようにした相対座標系を用いたものとがあり、特に、相対座標系を用いた地図においては、各地図の隣接部で図形歪が生じ、この図形歪を補正する必要がある。
【０００５】
本発明の課題は、地図情報の補正が依頼されたときに、地図情報を補正するサービスを行うとともに、補正の内容に応じた課金を行うことにある。
【課題を解決するための手段】
【０００６】
前記課題を解決するために、本発明は、サービス依頼元から地図情報とサービス依頼情報を通信ネットワークを介して受信したときに、サービス依頼情報の内容に応じて地図情報を補正するとともに、サービス依頼情報の内容または補正の内容に応じた課金情報を生成し、補正された地図情報と生成された課金情報をそれぞれ通信ネットワークを介して、サービス依頼元の指定による情報受信端末に送信するようにしたものである。
【０００７】
前記情報配信システムを構成するに際しては、以下の要素を付加することができる。
【０００８】
（１）前記サービス依頼情報は、前記地図情報が測量による地図で構成されているときに、前記地図の測地系・座標系が異なることに伴う地図補正の依頼または前記地図に図形歪を内包することに伴う地図補正の依頼を含むこと。
【０００９】
（２）前記サービス依頼情報は、前記地図情報が測量による複数の地図であって前記各地図が互いに重なり合う領域を有するもので構成されているときに、前記地図毎の測地系・座標系が異なることに伴う地図補正の依頼または前記地図毎に図形歪を内包することに伴う地図補正の依頼を含むこと。
【００１０】
（３）前記サービス依頼情報は、前記地図情報が測量による地図、航空写真による地図または衛星画像による地図で構成されているときに、前記いずれかの地図の測地系・座標系が異なることに伴う地図補正の依頼または前記いずれかの地図に図形歪を内包することに伴う地図補正の依頼を含むこと。
【００１１】
（４）前記サービス依頼情報は、前記地図情報が測量による地図と航空写真による地図および衛星画像による地図で構成され、かつ前記各地図が互いに重なり合う領域を有するもので構成されているときに、前記地図毎の測地系・座標系が異なることに伴う地図補正の依頼または前記地図毎に図形歪を内包することに伴う地図補正の依頼を含むこと。
【００１２】
前記サービス依頼情報が、前記地図間の位置座標を一致化させるとともに、前記各地図を重畳表示するための地図補正の依頼を含むときには、課金情報を生成する課金情報生成手段を、前記重畳表示を含むサービス依頼情報にしたがって課金情報を生成する機能を備えたもので構成し、前記地図情報を補正する地図情報補正手段を、前記地図間の位置座標を一致化させるとともに、前記各地図を重畳表示するための情報にしたがって前記地図情報を補正する機能を備えたもので構成することができる。
【００１３】
また、前記情報配信システムを構成するに際しては、地図情報を補正するための地図情報補正手段としては、以下の機能を有するもので構成することができる。
【００１４】
（１）前記地図情報補正手段は、前記地図情報を補正するときに、地図上の位置座標に属性として、ファイル、ＵＲＬ、静止画または動画を読み出すための関連づけを実行してなる。
【００１５】
（２）前記地図情報補正手段は、前記地図情報を補正するときに、前記各地図に、各地図相互に対応した位置座標を埋め込んでなる。
【００１６】
（３）前記地図情報補正手段は、前記地図情報を補正するときに、前記地図情報に電子透かしに関する情報を埋め込んでなる。
【００１７】
前記各情報配信システムを構成するに際しては、前記地図情報としては、ナビゲーションシステム上の地図に関連づけて構成することができる。
【００１８】
前記した手段によれば、サービス依頼元からの地図情報とサービス依頼情報を通信ネットワークを介して受信したときに、サービス依頼情報の内容に応じて地図情報を補正するとともに、サービス依頼情報の内容または補正の内容に応じた課金情報を生成し、補正された地図情報と生成された課金情報を通信ネットワークを介して、サービス依頼元の指定による情報受信端末に送信するようにしたため、サービス依頼情報の内容に応じて補正された地図情報をサービス依頼元に提供することができる。
【００１９】
例えば、サービス依頼情報として、地図情報が測量による地図で構成されているときに、地図の測地系・座標系が異なることに伴う地図補正の依頼または地図に図形歪みを内包することに伴う地図補正の依頼であるときには、その依頼にしたがって地図情報が補正され、補正された地図情報がサービス依頼元に提供される。また地図情報を補正するときに、地図情報に電子透かしに関する情報を埋め込むことで、情報の改竄を防止することが可能になる。
【発明の効果】
【００２０】
本発明によれば、サービス依頼情報を基に補正された地図情報をサービス依頼元に提供することができる。
【発明を実施するための最良の形態】
【００２１】
以下、本発明の一実施形態を図面に基づいて説明する。図１は本発明の一実施形態を示す情報配信システムのブロック構成図である。図１において、サービス依頼元となる利用者１０側には、利用者１０の管理化にある設備として、サービス依頼管理装置２０、地理情報装置２１、サービス依頼データ用データベース３０、地図データ用データベース３１、航空写真データ用データベース３２、衛星画像データ用データベース３３、電子透かし付加データ用データベース３８、課金データ用データベース３９が設置されている。一方、サービス提供事業者１１側には、サービス提供事業者１１の管理化にある設備として、データ送受信装置２２、課金装置２３、データ補正装置２４、電子透かし付加装置２５、補正済データ用データベース３４、課金データ用データベース３５、電子透かし付加データ用データベース３６、受信データ用データベース３７が設置されている。利用者１０のサービス依頼管理装置２０と、サービス提供事業者１１のデータ送受信装置２２は通信ネットワーク、例えば、ネットワーク１２を介して互いに接続されている。
【００２２】
サービス依頼管理装置２０は、図２に示すように、表示画面２０ａを有し、この表示画面２０ａ上には複数のメニュー５０、５１などが表示されるようになっている。複数のメニュー５０、５１、……のうちサービス依頼情報を選択するためのメニューが選択されると、選択されたメニュー５０の内容（サービス依頼情報）が表示され、表示されたメニューの内容の中から任意のものが選択されたあと、登録ボタン５３がクリックされると、選択されたサービス依頼情報に関するデータがサービス依頼データとしてデータベース３０に格納（登録）されるようになっている。サービス依頼データに対応したメニューとしては、例えば、以下のものが挙げられる。
【００２３】
（１）地図情報が測量による地図で構成されているときに、地図の測地系・座標系が異なることに伴う地図補正の依頼または地図に図形歪を内包することに伴う地図補正の依頼。
【００２４】
（２）地図情報が測量による複数の地図であって、各地図が互いに重なり合う領域を有するもので構成されているときに、地図ごとの測地系・座標系が異なることに伴う地図補正の依頼または地図ごとに図形歪を内包することに伴う地図補正の依頼。
【００２５】
（３）地図情報が測量による地図、航空写真による地図または衛星画像による地図で構成されているときに、いずれかの地図の測地系・座標系が異なること伴う地図補正の依頼またはいずれかの地図に図形歪みを内包することに伴う地図補正の依頼。
【００２６】
（４）地図情報が測量による地図と航空写真による地図および衛星画像による地図で構成され、且つ各地図が互いに重なり合う領域を有するもので構成されているときに、地図毎の測地系・座標系が異なることに伴う地図補正の依頼または地図毎に図形歪を内包することに伴う地図補正の依頼。
【００２７】
一方、データベース３１には測量による地図で構成された地図情報のデータが格納され、データベース３２には、地図情報が航空写真による地図で構成されているときに、航空写真データが格納され、データベース３３には、地図情報が衛星画像による地図で構成されているときに、衛星画像データが格納されるようになっている。そしてメニュー５０、５１のうち地図選択用のメニュー、例えば、図２に示すように、メニュー５０が利用者１０によって選択されたときには、測量による地図、航空写真による地図または衛星画像による地図の項目が表示エリア５２に表示され、いずれかの地図の項目が選択された後、登録ボタン５３がクリックされると、選択された地図の内容が登録地図の表示エリア５４に表示されるようになっている。またデータを選択するためのメニュー、例えば、図３に示すように、メニュー５１が選択されたときには、データ選択のための項目が表示エリア５２に表示され、地図データ、航空写真データ、衛星画像データのうちいずれか１つのデータあるいは複数のデータが選択された後、登録ボタン５３がクリックされると、選択されたデータの内容が登録データの表示エリア５５に表示されるようになっている。そして、選択された地図に関する地図情報はサービス依頼データとともにインターネット１２を介してサービス提供事業者１１に送信されるようになっている。
【００２８】
一方、サービス提供事業者１１におけるデータ送受信装置２２は、利用者１０から地図情報とサービス依頼データ（サービス依頼情報）が送信されたときに、これらの情報を受信する情報受信手段を構成するようになっている。データ送受信装置２２によって利用者１０からの地図情報とサービス依頼情報が受信されたときには、これらの情報は受信データとしてデータベース３７に格納される。データ補正装置２４は、データ送受信装置２２により受信された地図情報をサービス依頼データの内容に応じて補正し、補正した地図情報をデータベース３４に格納する地図情報補正手段として構成されている。例えば、データ補正装置２４は、サービス依頼データが、地図の測地系・座標系が異なることに伴う地図補正の依頼のときには、世界測地系を基に生成された地図情報にしたがって利用者１０からの地図情報を補正し、補正した地図情報を補正済データとしてデータベース３４に格納する。
【００２９】
一方、課金装置２３は、サービス依頼データの内容を基に経費を算出して課金情報としての課金データを生成し、この課金データをデータベース３５に格納する。
【００３０】
また、データ補正装置２４は、サービス依頼データが地図間の位置座標を一致化させるとともに、各地図を重畳表示させるための地図補正の依頼であるときには、このサービス依頼データにしたがって地図間の位置座標を一致化させるとともに、各地図を重畳表示するための情報にしたがって地図情報を補正する地図情報補正手段としての機能を備えて構成されている。また、この場合、課金装置２３は、各地図を重畳表示するためのサービス依頼データにしたがって課金データを生成し、この課金データをデータベース３５に格納するようになっている。
【００３１】
また、データ補正装置２４は、地図情報を補正するときに、地図上の位置座標に属性として、ファイル、ＵＲＬ（Ｕｎｉｆｏｒｍ  Ｒｅｓｏｕｒｃｅ  Ｌｏｃａｔｏｒ；インターネットに搭載しているファイルなどの情報資源の格納場所を指定するもの）、静止画または動画を読み出すための関連づけを実行したり、各地図に、各地図相互に対応した位置座標を埋め込んだりする地図情報補正手段としての機能を備えて構成されている。
【００３２】
また、電子透かし付加装置２５は、データ補正装置２４とともに地図情報補正手段を構成し、地図情報を補正するときに、地図情報に電子透かしに関する情報を埋め込み、この情報を電子透かし付加データとしてデータベース３６に格納するようになっている。地図情報に電子透かしに関する情報を埋め込むことで、情報の改竄を防止することができる。
【００３３】
なお、地図間の位置座標を一致化させるとともに、各地図を重畳表示するための地図補正や地図上の位置座標に属性として、ファイル、ＵＲＬ、静止画または動画を読み出すための関連づけを行なったり、各地図に、各地図相互に対応した位置座標を埋め込んだり、また地図情報に電子透かしに関する情報を読み込んだりする処理は、利用者１０からの要求によって行われるものであって、これらの処理が実行されると、この処理に伴う経費も課金データとして付加されるようになっている。
【００３４】
課金データの生成および地図情報の補正が行われると、データベース３４、３５、３６に格納されたデータがデータ送受信装置２２からインターネット１２を介してサービス依頼管理装置（サービス依頼元の情報受信端末）２０に送信される。この場合、データ送受信装置２２は補正された地図情報や課金情報を送信する情報送信手段を構成することになる。データ送受信装置２２から、補正された地図情報や課金情報を送信するに際しては、サービス依頼元の指定による情報受信端末としてのサービス依頼管理装置２２に地図情報と課金情報をそれぞれ送信する他に、例えば、サービス依頼元の管理下にある情報受信端末を指定の情報受信端末として、この情報受信端末に地図情報を送信し、サービス依頼元と取引のある金融機関の情報受信端末を指定の情報受信端末として、この情報受信端末に課金情報を送信することもできる。
【００３５】
サービス依頼管理装置２０が、サービス提供事業者１１からのデータを受信したときには、補正された地図情報に関するデータはデータベース３１、３２、３３のうち指定のデータベースに格納され、電子透かしに関するデータはデータベース３８に格納され、課金データはデータベース３９に格納される。これによりサービス提供事業者１１は利用者１０に対して補正された地図情報を提供することができる。一方、利用者１０は、課金データ３９を基にサービス提供事業者１１に対して費用を支払うことになる。
【００３６】
本実施形態によれば、利用者１０が複数のサービス依頼に関するメニューのうちいずれかのメニューを選択することで、サービス依頼情報の内容に応じて地図情報が補正され、補正された地図情報を利用者１０に提供することができるとともに、サービス依頼情報の内容に応じた課金を利用者に行うことが可能になる。
【００３７】
また、補正された地図情報に電子透かしに関する情報を埋め込むことで、データの改竄を防止するサービスも提供することができる。
【００３８】
利用者１０の指定に応じて、地図上の位置座標に属性として、ファイル、ＵＲＬ、静止画あるいは動画の関連づけするサービスを行うことができる。
【００３９】
また、前記実施形態においては、地図情報としては、ナビゲーションシステム上の地図に関連づけたもので構成することもできる。
【図面の簡単な説明】
【００４０】
【図１】本発明の一実施形態を示す情報配信システムのブロック構成図である。
【図２】地図選択画面の表示例を示す図である。
【図３】データ選択画面の表示例を説明するための図である。
【符号の説明】
【００４１】
１０  利用者
１１  サービス提供事業者
２０  サービス依頼管理装置
２１  地理情報装置
２２  データ送受信装置
２３  課金装置
２４  データ補正装置
２５  電子透かし付加装置
３０  サービス依頼管理装置
３１  地図データ用データベース
３２  航空写真データ用データベース
３３  衛星画像データ用データベース
３４  補正済データ用データベース
３５  課金データ用データベース
３６、３８  電子透かし付加データ用データベース
３９  課金データ用データベース
【図１】
2005077619.tif 000003
【図２】
2005077619.tif 000004
【図３】
2005077619.tif 000005